(57)【特許請求の範囲】
【請求項１】
複数の項目を順次並べたメニューの中で、選択対象に係る項目に位置するカーソルを操作部での操作受付に基づき移動させる電気機器において、
前記メニューの少なくともカーソルが位置する項目を表示する表示部と、
前記操作部での操作受付から操作受付解除までの時間を計時する計時手段と、
前記計時手段による計時時間を閾値と比較する比較手段と、
前記比較手段の比較結果により前記計時時間が閾値を下回る場合、操作受付時のカーソル位置に応じた項目の次に並ぶ項目へカーソルを移動させる第１移動手段と、
前記比較手段の比較結果により前記計時手段が閾値を上回る場合、操作受付時のカーソルの位置に応じた項目から間隔の空いた項目へカーソルを移動させる第２移動手段と、
前記第２移動手段が移動させるカーソルの移動先に応じた項目を、他の項目と相異する形態で前記表示部に表示する処理を行う手段と
を備えることを特徴とする電気機器。
【請求項２】
リモートコントロール装置と、
前記リモートコントロール装置から発せられる無線信号を受信する受信部とを備え、
前記操作部は、前記リモートコントロール装置に設けてある請求項１に記載の電気機器。
【請求項３】
前記計時手段および前記比較手段は、前記リモートコントロール装置に設けてある請求項２に記載の電気機器。
【発明の詳細な説明】
【技術分野】
【０００１】
本発明は、単一のボタンの操作の仕方を変えることで、メニュー項目を選択するカーソルの移動の仕方を変更し、ボタン数を増加させることなくメニュー項目選択に対するユーザインタフェースの効率化を図った電気機器に関する。
【背景技術】
【０００２】
昨今の各種電気機器は一般に多機能化が進んでおり、様々な機能の中からユーザが望む機能を実行するため、機能に応じた項目を選択可能に配列したメニューをユーザに提示し、ボタン操作でメニューの中から選択された項目の機能を実行する仕様になっているものが多い。例えば、テレビジョン装置およびテレビジョン装置の周辺装置（録画装置、セットトップボックスなど）では、様々な機能に加えて、入力ソースの選択、出力先の選択など多数の選択項目も存在するので、これらの項目もメニュー形式でユーザが適宜選択できるように、ＯＳＤ（On Screen Display）で様々なメニューを表示画面に表示し、装置本体または別体のリモコン装置に設けた操作部での操作により、所望の項目を選択できるようにしている。
【０００３】
なお、メニュー操作は通常、メニュー項目を選択するボタンを１度操作するごとに、メニュー中のカーソルを一項目ごと移動させて、カーソル位置に応じた項目を選択する仕様になっている。また、下記の特許文献１〜３では、メニュー項目の選択に対してユーザの使い勝手の向上を図る内容を開示している。
【０００４】
具体的に特許文献１は、液晶表示装置の入力信号に応じた項目を選択するメニューにおいて、各項目の並べる順番を入れ替えて、項目選択に要する操作ボタンの操作回数を最小限にすることを開示している。また、特許文献２は、メニューが含む項目を階層化すると共に、左右カーソルキーの操作で階層間の上下移動を行い、上下カーソルキーで現在の階層でカーソルを移動させることを開示している。さらに、特許文献３は、操作部にクイックボタンを設けて、そのクイックボタンが操作されると、その時点で操作可能な項目のみをＯＳＤでメニュー表示することを開示している。
【特許文献１】特開２００６−２６２０８５号公報
【特許文献２】特開平７−２８４０３６号公報
【特許文献３】特開２００１−３２６９０９号公報
【発明の開示】
【発明が解決しようとする課題】
【０００５】
従来の一般的なメニュー操作では、メニューに含まれる項目の数が増加すると、所望の項目までカーソルを移動させるのにボタンの操作回数が増加する場合が多くなり、操作に対する冗長感をユーザに抱かせると共に、項目選択に要する操作負担が増大し、さらにはメニュー項目を迅速に選択しにくいと云う問題がある。
【０００６】
また、特許文献１では、メニュー内の項目の順番を入れ替える設定をユーザがマニュアルで行う必要があるので、ユーザに新たな手間をかける問題が発生する。さらに、特許文献２では、計４個のボタン（上下左右カーソルキー）が必要となるので、操作部に設けるボタン数が増加し、操作部を含むデザインをシンプルにすることが困難になると共に、コストアップを回避するのも難しくなる。さらにまた、特許文献３では、クイックボタンが新たに必要となるので、操作部のボタン数が増加する上、その時点での操作可能な操作項目を多くの項目の中から判断する処理が制御部に要求されるので、メニューの表示に係る処理負担が増大する問題がある。
【０００７】
本発明は、かかる問題に鑑みてなされたものであり、単一のボタンの操作の仕方を２通りで行えるようにして、ボタンの操作の仕方に基づきカーソルの移動パターンを切り替えることで、メニューの中から所望の項目を素早く選択できるようにした電気機器を提供することを目的とする。
【課題を解決するための手段】
【０００８】
上記課題を解決するために、本発明に係る電気機器は、複数の項目を順次並べたメニューの中で、選択対象に係る項目に位置するカーソルを操作部での操作受付に基づき移動させる電気機器において、前記操作部での操作受付から操作受付解除までの時間を計時する計時手段と、前記計時手段による計時時間を閾値と比較する比較手段と、前記比較手段の比較結果により前記計時時間が閾値を下回る場合、操作受付時のカーソル位置に応じた項目の次に並ぶ項目へカーソルを移動させる第１移動手段と、前記比較手段の比較結果により前記計時手段が閾値を上回る場合、操作受付時のカーソルの位置に応じた項目から間隔の空いた項目へカーソルを移動させる第２移動手段とを備えることを特徴とする。
【０００９】
本発明にあっては、操作部での操作受付から操作受付解除までの時間が閾値を下回るか、または上回るかにより、カーソルの移動の仕方を変えるので、一つの操作部で、カーソルを２通りに移動させられる。しかも、カーソルは、計時した時間が閾値を下回る場合、並んだ項目を１つずつ移動し、閾値を上回る場合、項目の間隔を空けて移動するので、ユーザの感覚としては、短い時間で操作すれば、カーソルが順次移動し（ステップ的な移動）、長い時間で操作すれば、カーソルが項目の間隔を空けて移動し（スキップ的な移動）、メニュー項目の選択に関して、ユーザの感覚にマッチした分かり易いユーザインタフェースを提供できる。しかも、このようなカーソルの移動は、単一の操作部の操作で実現するため、配置できるボタン数が限定されるような電気機器にも本発明は適用でき、デザインのシンプル化や操作部に係るコストダウンにも貢献できる。なお、本発明における操作部とは、操作ボタン、操作スイッチ、または操作キー等の少なくともいずれか一つを意味する。
【００１０】
本発明に係る電気機器は、複数の項目を順次並べたメニューの中で、選択対象に係る項目に位置するカーソルを操作部での操作受付に基づき移動させる電気機器において、前記操作部は、操作受付に係る操作長として第１操作長および第２操作長で操作受付が可能にしてあり、前記操作部での操作受付が前記第１操作長または第２操作長のいずれによるかを判別する判別手段と、前記判別手段が、前記操作部での操作受付が前記第１操作長によると判別した場合、操作受付時のカーソル位置に応じた項目の次に並ぶ項目へカーソルを移動させる第１移動手段と、前記判別手段が、前記操作部での操作受付が前記第２操作長によると判別した場合、操作受付時のカーソルの位置に応じた項目から間隔の空いた項目へカーソルを移動させる第２移動手段とを備えることを特徴とする。
【００１１】
本発明にあっては、操作部が第１操作長と、第２操作長で操作受付が行えるようになっており、第１操作長での操作受付か、または第２操作長での操作受付かにより、カーソルの移動の仕方を、項目を１つずつ移動するパターン（ステップ的な移動）、項目の間隔を空けて移動するパターン（スキップ的な移動）に切り替えられる。また、この場合も、上述したカーソルの移動パターンを、単一の操作部の操作で実現するため、デザインのシンプル化や操作部に係るコストダウンに貢献できる。
【００１２】
本発明に係る電気機器は、複数の項目を順次並べたメニューの中で、選択対象に係る項目に位置するカーソルを操作部での操作受付に基づき移動させ電気機器において、前記操作部は、操作受付に係る操作長として第１操作長および第２操作長で操作受付が可能にしてあり、前記操作部が前記第２操作長で操作を受け付けるごとに、カーソルに係る第１移動状態と第２移動状態とを交互に切り替える切替手段と、前記切替手段が第１移動状態に切り替えた場合で、前記操作部が前記第１操作長で操作を受け付けたとき、操作受付時のカーソル位置に応じた項目の次に並ぶ項目へカーソルを移動させる第１移動手段と、前記切替手段が第２移動状態に切り替えた場合で、前記操作部が前記第１操作長で操作を受け付けたとき、操作受付時のカーソルの位置に応じた項目から間隔の空いた項目へカーソルを移動させる第２移動手段とを備えることを特徴とする。
【００１３】
本発明にあっては、操作部が第１操作長と、第２操作長で操作受付が行えるようになっており、第２操作長で操作を受け付けるごとに、カーソルの移動の仕方を、ステップ的な移動パターンとスキップ的な移動パターンとの間で交互に切り替え、その切り替えたパターンにおいて、第１操作長で操作を受け付けるごとに、切り替えたパターンに応じた移動の仕方でカーソルを移動させる。そのため、操作部の操作長ごとの操作役割を、パターンの切替と、カーソルの移動とに明確に分けることができ、より分かり易い操作インタフェースをユーザに提供できる。また、この場合も、上述したカーソルの移動パターンを、単一の操作部の操作で実現するため、デザインのシンプル化や操作部に係るコストダウンに貢献できる。
【００１４】
本発明に係る電気機器は、前記メニューの少なくともカーソルが位置する項目を表示する表示部を備えることを特徴とする。
【００１５】
本発明にあっては、メニューの中のカーソルが位置する項目を少なくとも表示するので、現在選択されている項目の内容をユーザに提示でき、操作部での操作結果を表示部に表示される内容で確認できるようになる。なお、メニュー項目を全般的に把握できるようにするためには、全ての項目を表示できる画面サイズの表示部を設けることが好ましいが、電気機器の筐体の大きさ、またはコスト面から大型の表示部を設けることが困難な場合は、カーソルが位置する項目を含む数項目だけを表示するようにしてもよく、さらには、携帯型の電気機器などにおいて、一行程度の表示部を設ける機種では、常にカーソルが位置する項目だけを表示するようにしてもよく、一行程度の表示部を設ける機種でも、ユーザは現在の選択中の項目を確認できるので有用となる。
【００１６】
本発明に係る電気機器は、前記第２移動手段が移動させるカーソルの移動先に応じた項目を、他の項目と相異する形態で表示する処理を行うことを特徴とする。
【００１７】
本発明にあっては、第２移動手段におけるカーソルの移動先に応じた項目を、他の項目と相異する形態で表示するので、第２移動手段での移動先が一目で分かるようになり、第２移動手段を用いてカーソルを移動させる際の項目の把握が容易になる。なお、他の項目と相異する形態としては、模様の付加、表示部がカラー表示可能であれば色の付加、ハイライト表示などが考えられる。また、第１移動手段での移動先と、第２移動手段での移動先との項目分けは、例えば、メニューに含まれる複数の項目を属性的に大項目に分類すると共に、各大項目に小項目が属するように割付を行い、第１移動手段では小項目および大項目に関係なく全ての項目を１つずつ移動し、第２移動手段では大項目単位で移動して、項目選択の操作性を高めることが好ましい。また、属性的にメニューの項目を分ける仕方としては、ジャンル別に分ける仕方、過去の使用頻度または操作順序で分ける仕方、ユーザの好みまたは使い勝手で分ける仕方、その時に使用できる項目のみをリストアップして分ける仕方などが考えられ、これらの分け方はデフォルトである程度、設定しておくと共に、ユーザの設定操作で適宜、設定内容を変更できるようにしておくことが、ユーザの利便性を高める上で好ましい。
【００１８】
本発明に係る電気機器は、リモートコントロール装置と、前記リモートコントロール装置から発せられる無線信号を受信する受信部とを備え、前記操作部は、前記リモートコントロール装置に設けてあることを特徴とする。
【００１９】
本発明にあっては、操作部をリモートコントロール装置に設けるので、リモートコンロール装置に設けるボタン数を減少させても、メニュー項目の選択操作を効率的にユーザの思い通りに行えるようになり、また、ボタン数を減らしたデザイン性の高いリモートコントロール装置をデザインする場合にも貢献でき、ボタン数減少に伴いリモートコントロール装置のコストダウンも図れる。
【発明の効果】
【００２０】
本発明にあっては、単一の操作部を操作する時間を長短の２通りにすることで、カーソルの移動の仕方も２通りにできるので、ボタン数を増加させることなく、メニューから素早く所望の項目を選択する操作性をユーザに提供できる。
また、本発明にあっては、単一の操作部の操作長を２通りにすることで、カーソルの移動の仕方も２通りにできるので、ボタン数を増加させることなく、メニューから素早く所望の項目を選択する操作性をユーザに提供できる。
さらに、本発明にあっては、単一の操作部の操作長を２通りに設定して、一方の操作長に対しては、カーソルの移動の仕方を切り替える役目を付与し、他方の操作長に対しては、切り替えられた移動の仕方でカーソルを移動させる指示を出す役目を付与するので、カーソルの移動指示は常に他方の操作長での操作が担うことになり、一段とユーザに分かり易い操作インタフェースを提供できる。
【００２１】
本発明にあっては、メニューの中のカーソルが位置する項目を少なくとも表示するので、現在選択されている項目の内容をユーザは容易に確認できる。
また、本発明にあっては、第２移動手段におけるカーソルの移動先に応じた項目を、他の項目と相異する形態で表示するので、第２移動手段での移動先が一目で分かるようになり、第２移動手段を用いてカーソルを移動させる際の項目をユーザは容易に把握でき、第２移動手段を用いる場合での操作性向上に貢献できる。
さらに、本発明にあっては、本発明に係る操作部をリモートコントロール装置に設けるので、ボタン数を減少させてリモートコンロール装置のデザイン性を高められると共に、リモートコントロール装置のコストダウンにも貢献できる。
【発明を実施するための最良の形態】
【００２２】
図１は、本発明の第１実施形態に係る電気機器に相当するテレビジョン装置１の外観を示している。テレビジョン装置１は、ＢＳ放送、ＣＳ放送、及び地上波デジタル放送の受信が可能であり、筐体２の前面に液晶パネルからなるディスプレイ部１１（表示部に相当）を設けると共に、筐体２の下方前面にスピーカ１２を配置している。さらに、テレビジョン装置１は、筐体２の上部には操作パネル１３を設けると共に、図１では見えない背面に外部機器との接続用の外部接続端子部を設けている。第１実施形態のテレビジョン装置１は、操作パネル１３に含まれるボタン（例えば、メニューボタン）の操作により、図４（ａ）（ｂ）、図５（ａ）（ｂ）に示すメニュー３０をＯＳＤでディスプレイ部１１に表示すると共に、操作パネル１３が具備する単一の操作ボタン（例えば、インプットボタン）で、メニュー３０に含まれる項目を選択するカーソルを２通りのパターンで移動可能にしたことを特徴としている。
【００２３】
図２は、テレビジョン装置１の内部構成を示すブロック図である。テレビジョン装置１は、第１受信ユニット３および第２受信ユニット４からの入力系統と、外部接続端子部１６からの入力系統を切替部６へ繋げる回路構成にしており、切替部６は映像出力系および音声出力系の回路へ入力された信号を出力する。また、テレビジョン装置１は、操作パネル１３およびリモートコントロール装置（以下、リモコン装置２０と称す）で受け付けた操作の内容に基づき各ユニット３、４および各部６、７、８等の制御を行うデバイス制御部１７を有する。なお、本実施形態では、リモコン装置２０はテレビジョン装置１を構成する一部に含まれるものとする。
【００２４】
第１受信ユニット３は、地上波デジタル放送の受信用であり、地上波デジタル放送電波を受信する第１アンテナＡｎ１に接続された第１チューナ３ａと、受信した放送電波に係る信号（映像信号および音声信号）に対して復調処理等を行う第１復調部３ｂを含んでいる。なお、第１復調部３ｂは、処理を行った信号を切替部６へ送る。また、第２受信ユニット４は、ＢＳ放送およびＣＳ放送の受信用であり、これらの放送電波を受信する第２アンテナＡｎ２に接続された第２チューナ４ａと、受信した放送電波に係る信号に対して復調処理等を行うと共に処理を行った信号を切替部６へ送る第２復調部４ｂを含んでいる。
【００２５】
外部接続端子部１６は、図３（ｂ）に示すように様々な信号送受規格に合致した複数の接続端子を有している。具体的に、外部接続端子部１６は、第１コンポーネント端子１６ａ−１〜３、第２コンポーネント端子１６ｂ−１〜３、第３コンポーネント端子１６ｃ−１〜３、計３個のＨＤＭＩ（High Definition Multimedia Interface）端子１６ｄ、１６ｅ、１６ｆ、ＤＶＩ（Digital Visual Interface）端子１６ｇ、およびｉ．Ｌｉｎｋ端子１６ｈを含み、様々な規格で外部機器との信号送受（映像信号および音声信号の入力または出力）を行えるようにしている。なお、外部接続端子部１６は、接続処理部１５を介して切替部６と接続されており、各端子から入力された信号を接続処理部１５を通じて切替部６へ送るようにしている。なお、接続処理部１５は、ＨＤＭＩ端子１６ｄ〜１６ｆおよびｉ．Ｌｉｎｋ端子１６ｈに対して、外部機器と接続されているか否かを検出する処理を行っており、接続中であることを検出した場合、接続中を表す旨の信号をデバイス制御部１７へ送る処理を行う。
【００２６】
図２に戻り、切替部６は、入力系統の回路（第１受信ユニット３、第２受信ユニット４または外部接続処理部１５）のいずれかと、出力系統の回路（映像制御部７および音声制御部１０）との接続をデバイス制御部１７からの制御により切り替える処理を行うものであり、接続された入力系統の回路で取得された信号に含まれる映像信号および音声信号を抽出すると共に、抽出した映像信号を映像制御部７へ送り、音声信号を音声制御部１０へ送る処理を行う。
【００２７】
映像制御部７は、切替部６から送られた映像信号の輝度信号と色差信号とに基づきマトリクス変換処理を行って、画像信号としてのＲＧＢ信号を生成し、このＲＧＢ信号に対してディスプレイ部１１の画素数に合わせたスケーリング処理を行い、１画面分の画像を生成してディスプレイ制御部９へと出力する。また、ＯＳＤ制御部８は、ビデオＲＡＭおよびＣＧ（Ｃｈａｒａｃｔｅｒ  Ｇｅｎｅｒａｔｏｒ）メモリ等を内蔵し、デバイス制御部１７から送られるデータをディスプレイ部１１における表示位置の情報に基づきビデオＲＡＭに格納すると共に、デバイス制御部１７の制御に基づき、ビデオＲＡＭに格納しているデータを読み出して、ＯＳＤとして表示すべき画像データ（例えば、図４（ａ）（ｂ）等に示すメニュー用の画像データ）にＣＧメモリで変換してディスプレイ制御部９へ出力する。
【００２８】
ディスプレイ制御部９は、映像制御部７から送られる画像信号およびＯＳＤ制御部８から送られる画像データに応じた画面内容をディスプレイ部１１で表示するための処理を行うものであり、表示すべき画面内容をディスプレイ部１１へ送ることで、ディスプレイ部１１には所要の映像（画像）が表示される。
【００２９】
一方、音声制御部１０は、切替部６から送られた音声信号に対して所定の処理（増幅処理など）を行ってからスピーカ１２へと出力するものであり、このような音声制御部１０での処理により、スピーカ１２から所定の音声が出力される。
【００３０】
図３（ａ）は、操作パネル１３を示しており、操作パネル１３は、ユーザからの操作を受け付ける押し下げ式の各種ボタン１３ａ〜１３ｅを具備する。具体的に操作パネル１３は、音量調整ボタン１３ａ、チャンネルボタン１３ｂ、インプットボタン１３ｃ（本発明に係る操作部に該当）、メニューボタン１３ｄおよび電源ボタン１３ｅを有している。これらの各ボタンは、押し下げられる操作を受け付けると、操作パネル１３に接続された操作信号処理部１４が押し下げられたボタンに応じた操作信号をデバイス制御部１７へ送る処理を開始し、また、押し下げられる操作が解除されると、操作信号処理部１４は操作信号をデバイス制御部１７へ送る処理を停止する。このような操作信号処理部１４での処理により、デバイス制御部１７は、操作パネル１３での各ボタンでの操作受付、および操作受付の解除を検出できるようになる。
【００３１】
なお、操作パネル１３は、テレビジョン装置１に対して最低限必要な操作用のボタンだけを設けており、その他の詳細な機能に応じた操作用のボタンは、図２に示すリモコン装置２０に設けている。リモコン装置２０に設けられた各ボタンが操作されると、操作されたボタンに応じた信号がリモコン装置２０から発せられ、発せられた信号（赤外光による無線信号）を受信部１８が受信してデバイス制御部１７へ送ることで、デバイス制御部１７は、リモコン装置２０で操作された内容を検出する。
【００３２】
デバイス制御部１７は、テレビジョン装置１の全般的な制御を行っており、本発明に関する処理としては、操作パネル１３のメニューボタン１３ｄでの操作に応じてディスプレイ部１１へ各種メニューを表示すると共に、メニューの中に順次並べた複数の項目を選択するためのカーソルを操作パネル１３のインプットボタン１３ｃでの操作受付に応じて移動させるように制御する。デバイス制御部１７は、メモリ１７ａを内蔵しており、このメモリ１７ａにカーソルの移動制御処理に用いる閾時間２１、表示用のメニューデータ２２およびデバイス制御部１７が行う各種制御処理の内容を規定したプログラム等を予め記憶している。以下、メニューの表示およびカーソルの移動に関する制御処理について詳しく説明する。
【００３３】
図４（ａ）は、ディスプレイ部１１に表示される一例のメニュー３０を示し、このメニュー３０は、デバイス制御部１７ａのメモリ１７ａに記憶されるメニューデータ２２に基づくものである。メニューデータ２２は、テレビジョン装置１が有する各種機能に応じた項目を選択するための複数のメニューに応じたデータを含んでおり、図４（ａ）のメニュー３０は、メニューデータ２２が含むメニューの中の入力系統（INPUT SOURCE）を選択するためのものであり、メモリ１７ａから読み出された図４（ａ）のメニュー３０用のデータに対してＯＳＤ制御部８およびディスプレイ制御部９が所定の処理を行うことで、メニュー３０がディスプレイ部１１に表示される。
【００３４】
メニュー３０は、テレビジョン装置１の上述した構成の入力系統に応じた複数の項目３１ａ〜３５を順次並べた内容になっており、本実施形態では、図３（ｂ）に示す各端子の種類の属性に応じて項目をグループ化している。第１グループ３１に含まれる項目３１ａ〜３１ｃは、放送信号の受信に応じたグループになっており、第１項目３１ａは入力系統として図２に示す第２受信ユニット４で受信するＢＳ放送を選択する内容であり、第２項目３１ｂは入力系統として第２受信ユニット４で受信するＣＳ放送を選択する内容であり、第３項目３１ｃは入力系統として第１受信ユニット３で受信する地上デジタル放送を選択する内容になっている。
【００３５】
また、第２グループ３２に含まれる項目３２ａ〜３２ｃは、各コンポーネント端子１６ａ−１〜３、１６ｂ−１〜３、１６ｃ−１〜３に対応したグループになっている。具体的に第４項目３２ａは入力系統として第１コンポーネント端子１６ａ−１〜３（ＩＮＰＵＴ１）に接続される外部機器（本実施形態ではＶＣＲ（ビデオカセットレコーダ）を想定）を選択する内容であり、第５項目３２ｂは入力系統として第２コンポーネント端子１６ｂ−１〜３（ＩＮＰＵＴ２）に接続される外部機器（本実施形態ではＤＶＤ（ＤＶＤレコーダ）を想定）を選択する内容であり、第６項目３２ｃは入力系統として第３コンポーネント端子１６ｃ−１〜３（ＩＮＰＵＴ３）に接続される外部機器（本実施形態では他の種類の外部機器を想定）を選択する内容になっている。
【００３６】
さらに、第３グループ３３に含まれる項目３３ａ〜３３ｃは、各ＨＤＭＩ端子１６ｄ〜１６ｆに対応したグループになっている。具体的に第７項目３３ａは入力系統として第１ＨＤＭＩ端子１６ｄ（ＩＮＰＵＴ４）に接続される外部機器を選択する内容であり、第８項目３３ｂは入力系統として第２ＨＤＭＩ端子１６ｅ（ＩＮＰＵＴ５）に接続される外部機器を選択する内容になっており、第９項目３３ｃは入力系統として第３ＨＤＭＩ端子１６ｆ（ＩＮＰＵＴ６）に接続される外部機器を選択する内容になっている。
【００３７】
さらにまた、第４グループに相当する第１０項目３４は、入力系統としてＤＶＩ端子１６ｇ（ＩＮＰＵＴ７）に接続される外部機器（本実施形態ではパーソナルコンピュータ（ＰＣ）を想定）を選択する内容になっている。最後に、第５グループに相当する第１１項目３５は、入力系統としてｉ．Ｌｉｎｋ端子１６ｈに接続される外部機器を選択する内容になっている。
【００３８】
メニュー３０の中の上述した各項目３１ａ〜３５は選択可能となっており、選択されている状態の項目にはカーソル３８（図４（ａ）中、太線枠で示す）が位置し、このカーソル３８をデバイス制御部１７は操作パネル１３のインプットボタン１３ｃの操作に応じて移動させる制御をデバイス制御部１７が行うことで選択対象に係る項目を変更できるようにしている。また、本実施形態のメニュー３０は、後述するカーソル３８の移動状態の一つであるスキップ移動（第２移動状態に相当）でのカーソル３８の移動先に応じた項目３１ａ、３２ａ、３３ａ、３４、３５（大項目の単位に相当）は、他の項目３１ｂ、３１ｃ、３２ｂ、３２ｃ、３３ｂ、３３ｃ（小項目の単位に相当）と相異する形態（本実施形態では背景色を相異）で表示するデータ内容になっている。
【００３９】
また、デバイス制御部１７は、メニュー３０の表示処理を行う際に、接続処理部１５から送られてくる各端子１６ｄ〜１６ｆ、１６ｈが接続中あるか否かを示す旨の信号の有無に応じて項目３３ａ〜３３ｃ、３５の表示形態および選択可否を変更する処理を行う。例えば、メニュー３０の表示処理を行う際に接続処理部１５から、ｉ．Ｌｉｎｋ端子１６ｈについては接続中である旨の信号をデバイス制御部１７が受け取っていない場合、デバイス制御部１７は図４（ｂ）のメニュー３０に示すように、ｉ．Ｌｉｎｋ端子１６ｈに応じた第１１項目３５を波線で表した形態を生成すると共に、カーソル３８も移動できないように制御する。このようにすることで、入力系統として選択できない項目を視覚的にユーザに示すと共に、実際のカーソル移動の操作で選択できないようにして、使えない項目を無駄に選択する状態になることを回避している。
【００４０】
なお、図４（ａ）（ｂ）に示すメニュー３０における各項目３１ａ、３１ｂ等の並ぶ順序はデフォルトの状態を示しており、各項目３１ａ、３１ｂ等の並ぶ順序は、図示しない設定メニューで、ユーザの使い勝手に応じて適宜変更可能になっている。そのため、メニュー３０を構成する表示用のデータも、項目ごとに応じたデータの順序を変更できるデータ構成になっている。
【００４１】
次に、本発明の特徴であるインプットボタン１３ｃの操作（短時間押し下げと、長時間押し下げ）の使い分けに応じて、カーソル３８の移動の仕方をデバイス制御部１７が変える処理内容について説明する。デバイス制御部１７は、図４（ａ）（ｂ）等に示すメニュー３０の表示処理を行っている場合に、操作信号処理部１４からインプットボタン１３ｃが押し下げられて操作受付を行ったことを示す操作信号をデバイス制御部１７が受け付けた場合、自己が有するタイマー機能を用いて操作中の時間を計時を開始する処理を行う。また、インプットボタン１３ｃの押し下げが解除されて、それに伴い操作受付を表す操作信号が送られてくることが停止されると、デバイス制御部１７は計時を停止する処理を行う。このような処理により、デバイス制御部１７は、インプットボタン１３ｃでの操作受付から操作受付解除までの時間を計時することになる。
【００４２】
また、デバイス制御部１７は、インプットボタン１３ｃの操作に係る時間を計時すれば、計時した時間と、メモリ１７ａに記憶した閾時間（閾値に相当。本実施形態では１．５秒）とを比較する処理を行う。比較の結果、計時した時間が閾時間を下回る場合、デバイス制御部１７は、インプットボタン１３ｃの操作受付時のカーソル３８が位置する項目（図４（ａ）の場合では、第１項目３１ａ）の次に並ぶ項目（図４（ｂ）に示す第２項目３１ｂ）へカーソル３８を移動させる処理を行う。なお、このようなカーソル３８の移動はステップ的な移動に相当するため、以降、ステップ移動（第１移動状態に相当）と称す。
【００４３】
一方、比較の結果、計時した時間が閾時間以上となる場合、デバイス制御部１７は、インプットボタン１３ｃの操作受付時のカーソル３８が位置する項目（図４（ａ）の場合では、第１項目３１ａ）から間隔を空けた項目（例えば、図４（ａ）に示す第１項目３１ａから図５（ａ）のメニュー３０に示す第４項目３２ａ）へカーソル３８を移動させる処理を行う。なお、このようなカーソル３８の移動は、項目をとばすスキップ的な移動に相当するため、スキップ移動（第２移動状態に相当）と称す。なお、スキップ移動でカーソル３８を複数回移動する場合は、例えば、図４（ａ）に示すカーソル３８の位置、図５（ａ）に示すカーソル３８の位置、図５（ｂ）に示すカーソル３８の位置の順で、カーソル３８をスキップ的に移動させられる。
【００４４】
デバイス制御部１７は、メニュー３０を表示している間、インプットボタン１３ｃで操作を受け付けるごとに、上述したような操作を行い、最後にインプットボタン１３ｃで操作を受け付けてから５秒以上経過すると、その時点でカーソル３８が位置する項目に応じた入力系統の回路を選択対象（INPUT SOURC）に決定する処理を行う。また、メニュー３０を表示している間に、メニューボタン１３ｄを押し下げる操作を受け付けた場合、デバイス制御部１７は、メニューボタン１３での操作受付を上述したカーソル移動に係る終了操作として捉え、メニューボタン１３での操作受付時にカーソル３８が位置する項目に応じた入力系統の回路を選択対象（INPUT SOURC）に決定する。
【００４５】
図６に示す第１フローチャートは、第１実施形態のテレビジョン装置１のデバイス制御部１７がカーソル移動に関して行う一連の処理手順（カーソル移動方法）を示したものである。以下、この第１フローチャートに従って第１実施形態の処理内容を整理して説明する。まず、デバイス制御部１７は、メニューボタン１３ｄがユーザにより操作されたか否かを判断する（Ｓ１）。メニューボタン１３ｄの操作が無い場合（Ｓ１：ＮＯ）、デバイス制御部１７の処理は、メニューボタン１３ｄの操作待ちの状態となり、また、メニューボタン１３ｄが操作された場合（Ｓ１：ＹＥＳ）、デバイス制御部１７は、図４（ａ）に示すメニュー３０をディスプレイ部１１に表示する処理を行う（Ｓ２）。
【００４６】
次に、デバイス制御部１７は、メニュー３０を表示した状態で、インプットボタン１３ｃを押し下げる操作があったか否かを判断し（Ｓ３）、押し下げる操作を受け付けない場合（Ｓ３：ＮＯ）、インプットボタン１３ｃの操作待ちの状態になる。また、インプットボタン１３ｃの押し下げ操作を受け付けた場合（Ｓ３：ＹＥＳ）、デバイス制御部１７は計時を開始し（Ｓ４）、それからインプットボタン１３ｃの押し下げ（操作受付）が解除されたか否かを判断する（Ｓ５）。インプットボタン１３ｃの押し下げが解除されていない場合（Ｓ５：ＮＯ）、デバイス制御部１７は計時を継続し（Ｓ４）、インプットボタン１３ｃの押し下げが解除された場合（Ｓ５：ＹＥＳ）、デバイス制御部１７は、計時を終了して計時した時間がメモリ１７ａに記憶した閾時間以上であるか否かを比較判断する（Ｓ６）。
【００４７】
計時した時間が閾時間以上で無い場合、すなわち、閾時間を下回る場合（Ｓ６：ＮＯ）、デバイス制御部１７は丁度、図４（ａ）から図４（ｂ）に示すように、１つ下方へ位置するこう項目へカーソル３８をステップ移動させる（Ｓ８）。また、計時した時間が閾時間以上である場合（Ｓ６：ＹＥＳ）、デバイス制御部１７は丁度、図４（ａ）から図５（ａ）に示すようにカーソル３８をスキップ移動させる（Ｓ７）。スキップ移動（Ｓ７）またはステップ移動（Ｓ８）の後、選択対象の項目に決定する処理またはメニューボタン１３ｄの押し下げ操作（終了操作）があったか否かを、デバイス制御部１７は判断し（Ｓ９）、決定処理または終了操作のいずれも無い場合（Ｓ９：ＮＯ）、Ｓ３の段階へ戻り、また、決定処理または終了操作のいずれかが有った場合（Ｓ９：ＹＥＳ）、一連の処理を終了する。なお、Ｓ３の段階へ戻った場合は、インプットボタン１３ｃの操作時間を変更することで、前回のスキップ移動からステップ移動へ、または前回のステップ移動からスキップ移動へと、前回の移動状態と今回（Ｓ３の段階へ戻った回）の移動状態を切り替えることも可能となる。
【００４８】
このように第１実施形態に係るテレビジョン装置１は、インプットボタン１３に対する操作時間の長短の使い分けに応じて、カーソル３８の移動の仕方をスキップ移動と、ステップ移動に切り替えることができるため、単一の操作ボタン（インプットボタン１３ｃ）のみで、メニュー３０の中から所望の項目を迅速に選択できるユーザインタフェースを提供できる。また、本発明では、テレビジョン装置１の操作パネル１３のボタン数を増加させる必要も無いので、テレビジョン装置１のデザインの自由度またはシンプル化を損なわれずに済み、操作パネル１３に係るコスト上昇も生じない。
【００４９】
なお、本発明に係る第１実施形態は、上述した内容に限定されるものではなく種々の変形例が存在する。例えば、操作パネル１３に設けるボタン（スイッチまたはキーも含む）の方式は、押し下げ式に限定されるものではなく、レバー式、スライド式など他の操作形態のものを適用することも可能である。また、ディスプレイ部１１に表示するメニューとしては、入力系統の選択に係るもの以外に、映像調整に係るメニュー、省エネ設定に係るメニュー、本体設定に係るメニュー、チャンネル設定に係るメニュー、タイマー設定に係るメニューなどにおいても第１実施形態に係るカーソルの移動方式を適用することができる。さらに、メニューが有する複数の項目は、ユーザが選択した項目回数をメモリ１７ａ等に記憶しておき、項目回数の多い順にデバイス制御部１７が並び替えてメニューを生成するようにしてもよい。
【００５０】
さらにまた、第１実施形態に係る内容は、テレビジョン装置以外の電気機器であっても、複数の項目が並ぶメニューに対して、操作部での操作に応じてカーソルを移動させて項目を選択する仕様になっている電気機器に広く適用することができる。具体的に、適用可能な電気機器としては、ＤＶＤレコーダ、ＨＤＤレコーダまたはＢＤ（ブルーレイディスク）レコーダのような録画装置、メモリプレーヤ、ＣＤプレーヤ、ＤＶＤプレーヤのような再生装置、その他の音響装置（オーディオ製品、オーディオ・ビジュアル製品）、ファクシミリ装置、電話機（携帯電話機も含む）、プリンタ装置、エアーコンディショナ、洗濯機、空気清浄機、オーブンレンジ、冷蔵庫、食洗機等に第１実施形態に係る内容を適用できる。
【００５１】
図７は、第１実施形態に係る内容を適用した変形例の電気機器に相当するポータブル型オーディオ装置４０を示す。ポータブル型オーディオ装置４０は、直方体状の筐体４１の前面４１ａに、上述したテレビジョン装置１のインプットボタン１３ｃに相当する押し下げ式の操作ボタン４２（操作部に相当）を有すると共に、３行の文字を表示できる横長の液晶表示部４３を有している。このポータブル型オーディオ装置４０も図示しない背面に複数の外部機器との接続用の外部接続端子部を有しており、そのため、出力する音声の取得元を選択できるように図４（ａ）に準じたメニューを有し、操作ボタン４２の押し下げ操作の時間を長短使い分けることで、スキップ操作またはステップ操作でカーソルを移動させてメニューに含まれる項目を適宜選択できるようになっている。
【００５２】
ただし、ポータブル型オーディオ装置４０は、液晶表示部４３には、３行分の文字だけしか表示できないため、図４（ａ）に準じたメニューから項目を選択する際には、現在のカーソル位置に応じた項目とその前後に位置する項目のみを表示し、操作ボタン４２でカーソルを移動させる操作を行う際に、カーソルの移動に応じてメニューをスクロールする処理を行い、それにより常にカーソル位置に応じた項目が液晶表示部４３に表示されるようにしている。
【００５３】
また、第１実施形態に係る操作部は、電気機器の本体に設けた操作パネルが具備するもの以外に、電気機器に係るリモコン装置に設けることも可能である。例えば、図１に示すリモコン装置２０に、図３（ａ）に示すインプットボタン１３ｃおよびメニューボタン１３ｄに準じたボタンを設け、これらのボタン１３ｃ、１３ｄが操作を受け付けた場合、リモコン装置２０から発せられる無線の操作信号を受信部１８が、操作処理部１４と同様な対応でデバイス制御部１７に送ることで、リモコン装置２０の操作部にも本発明を適用できるようになる。そのため、リモコン装置２０に設けるボタン数を無用に増加させる必要がなくなり、リモコン装置２０のデザイン性を高められると共に、ボタン数を抑制してコストダウンも図れる。
【００５４】
図８（ａ）（ｂ）は、第１実施形態に係る別の変形例のリモコン装置５０を示している。このリモコン装置５０は、図６に示す第１フローチャートに係る処理をリモコン装置内に設けたリモコン制御部５６で行えるようにしたことが特徴である。図８（ａ）に示すように、リモコン装置５０は、直方体状のリモコン筐体５１の表面に操作パネル５２を設けており、その操作パネル５２に、メニューボタン５２ａおよびインプットボタン５２ｂを有し、リモコン筐体５１の先端には操作信号の発信部５４を配置している。
【００５５】
また、図８（ｂ）に示すように、リモコン装置５０は、操作パネル５２を操作信号処理部５５を介してリモコン制御部５６と接続し、また、リモコン制御部５６は発光回路５８を介して発信部５４を接続している。リモコン装置５０の操作パネル５２は図２の操作パネル１３に対応するものであり、操作信号処理部５５は図２の操作信号処理部１４に対応するものであり、リモコン制御部５６は図２のデバイス制御部１７に対応するものであり、リモコン制御部５６は、図２のデバイス制御部１７と同様に閾時間５７を記憶したメモリ５６ａを内蔵している。
【００５６】
この変形例のリモコン装置５０では、操作パネル５２が有するメニューボタン５２ａでの操作受付が図６の第１フローチャートにおけるＳ１の段階の処理に関係し、インプットボタン５２ｂの操作受付および操作受付解除が第１フローチャートにおけるＳ３の段階およびＳ５の段階の処理に関係する。また、リモコン制御部５６は、第１フローチャートの全般的な処理内容に関連し、特にインプットボタン５２ｂの操作受付から操作受付解除までの時間を計時し、計時した時間を閾時間５７と比較して、スキップ移動を行うと判断した場合、スキップ移動を行う指示信号を生成し、発光回路５８を経て発信部５４から受信部１８へ送信することになる。また、リモコン制御部５６が、ステップ移動を行うと判断した場合、ステップ移動を行う指示信号を生成し、発光回路５８を経て発信部５４から受信部１８へ送信する。
【００５７】
上述した変形例のリモコン装置５０と組み合わされるテレビジョン装置１のデバイス制御部１７は、受信部１８からスキップ移動を行う旨の指示信号が送られると、カーソルをスキップ移動させる制御を行い、また、受信部１８からステップ移動を行う旨の指示信号が送られると、カーソルをステップ移動させる制御を行う。よって、図８（ａ）（ｂ）に示す変形例のリモコン装置５０を用いると、リモコン装置５０での操作に対するデバイス制御部１７での計時処理、ステップ移動またはスキップ移動の判断処理が不要となり、デバイス制御部１７の処理負担を低減できるメリットがある。
【００５８】
図９（ａ）〜（ｃ）は、本発明の第２実施形態に係るテレビジョン装置の操作パネル１３′に設けられたインプットボタン１３ｃ′を示している。第２実施形態のインプットボタン１３ｃ′はダブルアクション式となっており、２段階の操作長で押し下げ操作を受け付けることが可能であり、操作長ごとのインプットボタン１３ｃ′に対する操作で、ステップ移動またはスキップ移動を切り替えてカーソルを移動させることが特徴になっている。なお、第２実施形態に係るテレビジョン装置は、操作パネル１３′のインプットボタン１３ｃ′以外は、ハード的に第１実施形態と同等であるため、以下の説明において、操作パネル１３′およびインプットボタン１３ｃ′以外は第１実施形態と同じ符号を用いる。
【００５９】
第２実施形態のインプットボタン１３ｃ′は、図９（ａ）に示すように、押し下げ操作が行われていない状態で、操作パネル１３′の表面１３ｆ′から距離Ｌ１だけ突出している。また、図９（ｂ）に示すように、操作パネル１３′を押し下げると、表面１３ｆ′から突出する長さが距離Ｌ２（Ｌ２＜Ｌ１）の時に一度、クリック感が生じる構造になっている。この図９（ｂ）に示す押し下げ状態では、操作パネル１３′内に設けられた第１スイッチ（図示せず）がオンになり、図１の操作信号処理部１４から、インプットボタン１３ｃ′が第１操作長（Ｌ１−Ｌ２）での押し下げ状態である旨を表す操作信号がデバイス制御部１７に送られる。
【００６０】
さらに、図９（ｃ）に示すように、インプットボタン１３ｃ′を図９（ｂ）に示す状態より一段と押し下げると、インプットボタン１３ｃ′は最終的に、表面１３ｆ′から突出する長さが距離Ｌ３（Ｌ３＜Ｌ２＜Ｌ１）になるまで押し込めるようになっている。この図９（ｃ）に示す押し下げ状態では、操作パネル１３′内に設けられた第２スイッチ（図示せず）がオンになり、図１の操作信号処理部１４から、インプットボタン１３ｃ′が第２操作長（Ｌ１−Ｌ３）での押し下げ状態である旨を表す操作信号がデバイス制御部１７に送られる。
【００６１】
また、第２実施形態に係るデバイス制御部１７は、操作信号処理部１４から送られるインプットボタン１３ｃ′の押し下げ操作の受付に伴う操作信号が表す中身により、インプットボタン１３ｃ′での操作受付が第１操作長または第２操作長のいずれによるものかを判別する処理を行う。さらに、デバイス制御部１７は、インプットボタン１３ｃ′での押し下げ操作の受付が第１操作長によるものと判別した場合、図４（ａ）（ｂ）等に示すメニュー３０におけるカーソル３８をステップ移動させる処理を行う。さらにまた、デバイス制御部１７は、インプットボタン１３ｃ′での押し下げ操作の受付が第２操作長によるものと判別した場合、図４（ａ）（ｂ）等に示すメニュー３０におけるカーソル３８をスキップ移動させる処理を行う。
【００６２】
図１０に示す第２フローチャートは、第２実施形態のテレビジョン装置のデバイス制御部１７がカーソル移動に関して行う一連の処理手順（カーソル移動方法）を示したものである。以下、この第２フローチャートに従って第２実施形態の処理内容を整理して説明する。まず、Ｓ１０〜Ｓ１２までの処理内容は、第１実施形態と同様であり、デバイス制御部１７は、メニューボタン１３ｄがユーザにより操作されたか否かを判断し（Ｓ１０）、メニューボタン１３ｄの操作が無い場合（Ｓ１０：ＮＯ）、メニューボタン１３ｄの操作待ちとなり、メニューボタン１３ｄが操作された場合（Ｓ１０：ＹＥＳ）、図４（ａ）に示すメニュー３０をディスプレイ部１１に表示する処理を行う（Ｓ１１）。
【００６３】
次に、デバイス制御部１７は、インプットボタン１３ｃ′を押し下げる操作があったか否かを、操作信号処理部１４からの操作信号の有無で判断し（Ｓ１２）、押し下げる操作を受け付けていないと判断した場合（Ｓ１２：ＮＯ）、インプットボタン１３ｃ′が操作されるのを待つ状態になる。また、インプットボタン１３ｃ′の押し下げ操作を受け付けたと判断した場合（Ｓ１２：ＹＥＳ）、操作信号処理部１４から送られた操作信号が表す中身により、操作長が第１操作長または第２操作長のいずれであるかをデバイス制御部１７は判別する（Ｓ１３）
【００６４】
操作長が第１操作長であると判別した場合（Ｓ１３：第１操作長）、デバイス制御部１７はカーソル３８をステップ移動させる（Ｓ１５）。また、操作長が第２操作長であると判別した場合（Ｓ１３：第２操作長）、デバイス制御部１７はカーソル３８をスキップ移動させる（Ｓ１４）。そして、スキップ移動（Ｓ１４）またはステップ移動（Ｓ１５）の後、選択対象の項目に決定する処理または終了操作があったか否かを、デバイス制御部１７は判断し（Ｓ１６）、決定処理または終了操作のいずれも無い場合（Ｓ１６：ＮＯ）、Ｓ１２の段階へ戻り、また、決定処理または終了操作のいずれかが有った場合（Ｓ１６：ＹＥＳ）、一連の処理を終了する。なお、Ｓ１２の段階へ戻った場合は、インプットボタン１３ｃの操作長を変更することで、第１実施形態の場合と同様に、前回のカーソルの移動状態と今回（Ｓ１２の段階へ戻った回）の移動状態を切り替えることが可能となる。
【００６５】
以上のように、第２実施形態における処理では、図９（ａ）〜（ｃ）に示すダブルアクション式のインプットボタン１３ｃ′を用いることで、第１実施形態のように操作受付から操作受付解除までを計時しない簡易な処理で、カーソル３８をスキップ移動またはステップ移動させることが可能となり、デバイス制御部１７の処理負担が低減されている。なお、第２実施形態でも、第１実施形態で述べた各種変形例の適用が可能である。また、第２実施形態のダブルアクション方式のインプットボタン１３ｃ′の第１操作長での操作受付と、第２操作長での操作受付のそれぞれに、第１実施形態に係る操作受付から操作受付解除までの処理を組み合わせることも可能であり、このような組合せでは、一つの操作ボタン（インプットボタン１３ｃ′）で計４通りの操作パターンを受け付けることができ、単一ボタンの多機能化を図れる。
【００６６】
図１１に示す第３フローチャートは、図９（ａ）〜（ｃ）に示すダブルアクション式のインプットボタン１３ｃ′を用いた第２実施形態の変形例の処理手順（カーソル移動方法）を示している。この変形例では、第１操作長での操作受付と、第２操作長での操作受付の役割を相異させており、インプットボタン１３ｃ′が第２操作長で操作を受け付けるごとに、カーソルの移動の状態として、ステップ移動（第１移動状態に相当）と、スキップ移動（第２移動状態に相当）とを交互に切り替える処理をデバイス制御部１７が行う一方、インプットボタン１３ｃ′が第１操作長で操作を受け付けると、その時の切り替えられた状態（スキップ移動またはステップ移動）で、カーソル３８を移動させる処理をデバイス制御部１７が行う。
【００６７】
このような第２実施形態の変形例に係る処理内容を第３フローチャートに沿って説明する。なお、この第３フローチャートにおける処理では、スキップ移動がデフォルトで設定されているものとする。まず、デバイス制御部１７は、メニューボタン１３ｄがユーザにより操作されたか否かを判断し（Ｓ２０）、操作が無い場合（Ｓ２０：ＮＯ）、メニューボタン１３ｄの操作待ちとなり、操作があった場合（Ｓ２０：ＹＥＳ）、メニュー３０をディスプレイ部１１に表示する処理を行う（Ｓ２１）。
【００６８】
それからデバイス制御部１７は、インプットボタン１３ｃ′を第２操作長で押し下げる操作を受け付けたか否かを判断し（Ｓ２２）、第２操作長での押し下げ操作を受け付けたと判断した場合（Ｓ２２：ＹＥＳ）、デバイス制御部１７の内部処理で、デフォルトのスキップ移動の状態からステップ移動の状態へ切り替えて、次に、インプットボタン１３ｃ′を第１操作長で押し下げる操作を受け付けたか否かを判断する（Ｓ２７）。第１操作長で押し下げる操作を受け付けていないと判断した場合（Ｓ２７：ＮＯ）、第１操作長での押し下げ操作の受付待ちとなり、第１操作長で押し下げる操作を受け付けたと判断した場合（Ｓ２７：ＹＥＳ）、デバイス制御部１７はカーソル３８をステップ移動させる（Ｓ２８）。
【００６９】
その後、デバイス制御部１７は、インプットボタン１３ｃ′を第２操作長で押し下げる操作を受け付けたか否かを再び判断し（Ｓ２９）、第２操作長での押し下げ操作を受け付けていないと判断した場合（Ｓ２９：ＮＯ）、選択対象の項目に決定する処理または終了操作があったか否かを、デバイス制御部１７は判断し（Ｓ３０）、決定処理または終了操作のいずれも無い場合（Ｓ３０：ＮＯ）、Ｓ２７の段階へ戻り、また、決定処理または終了操作のいずれかが有った場合（Ｓ３０：ＹＥＳ）、一連の処理を終了する。
【００７０】
また、Ｓ２２の段階で、インプットボタン１３ｃ′の第２操作長での押し下げ操作を受け付けていないと判断した場合（Ｓ２２：ＮＯ）は、内部処理的にはデフォルトのスキップ移動の状態が維持され、また、Ｓ２９の段階で、インプットボタン１３ｃ′の第２操作長での押し下げ操作を受け付けたと判断した場合（Ｓ２９：ＹＥＳ）、内部処理ではステップ移動の状態からスキップ移動の状態へ切り替えられ、この状態で、デバイス制御部１７は、インプットボタン１３ｃ′を第１操作長で押し下げる操作を受け付けたか否かを判断する（Ｓ２３）。第１操作長で押し下げる操作を受け付けていないと判断した場合（Ｓ２３：ＮＯ）、第１操作長での押し下げ操作の受付待ちとなり、第１操作長で押し下げる操作を受け付けたと判断した場合（Ｓ２３：ＹＥＳ）、デバイス制御部１７はカーソル３８をスキップ移動させる（Ｓ２４）。
【００７１】
その後、デバイス制御部１７は、インプットボタン１３ｃ′を第２操作長で押し下げる操作を受け付けたか否かを再び判断し（Ｓ２５）、第２操作長での押し下げ操作を受け付けていないと判断した場合（Ｓ２５：ＮＯ）、選択対象の項目に決定する処理または終了操作があったか否かを、デバイス制御部１７は判断し（Ｓ２６）、決定処理または終了操作のいずれも無い場合（Ｓ２６：ＮＯ）、Ｓ２３の段階へ戻り、また、決定処理または終了操作のいずれかが有った場合（Ｓ２６：ＹＥＳ）、一連の処理を終了する。また、Ｓ２５の段階で、第２操作長での押し下げ操作を受け付けたと判断した場合（Ｓ２５：ＹＥＳ）、内部処理でスキップ移動の状態からステップ移動の状態へ切り替えられ、この状態で、デバイス制御部１７は、次にＳ２７の段階の処理を行うことになる。
【００７２】
よって、第３フローチャートに示すように、インプットボタン１３ｃ′の第２操作長で押し下げる操作の受付に係るＳ２２の段階とＳ２５の段階、およびＳ２２の段階とＳ２９の段階等を行うことと、これらの処理の間で、Ｓ２４の段階のスキップ移動またはＳ２８の段階のステップ移動を行うことで、インプットボタン１３ｃ′が第２操作長で押し下げ操作を受け付けるごとに、ステップ移動とスキップ移動が交互に切り替わる。その結果、インプットボタン１３ｃ′の第２操作長での押し下げ操作は、ステップ移動とスキップ移動の切替の際にのみ用いることから、第２操作長での操作と、第１操作長での操作の役割が明確に相異し、一つの操作ボタンを用いて複数種類の操作を行えるようにした場合でもユーザに分かり易い操作インタフェースを提供できる。
【図面の簡単な説明】
【００７３】
【図１】本発明の第１実施形態に係る電気機器に該当するテレビジョン装置の外観を示す斜視図である。
【図２】テレビジョン装置の内部構成を示すブロック図である。
【図３】（ａ）は操作パネルを示す概略図、（ｂ）は外部接続端子部を示す概略図である。
【図４】（ａ）はメニューを示す概略図、（ｂ）は（ａ）に示す状態からカーソルを１つの項目だけステップ移動させた状態を示す概略図である。
【図５】（ａ）は図４（ａ）に示す状態からカーソルをスキップ移動させた状態を示す概略図、（ｂ）は（ａ）に示す状態からカーソルをスキップ移動させた状態を示す概略図である。
【図６】第１実施形態に係る処理手順を示す第１フローチャートである。
【図７】第１実施形態の変形例の電気機器に該当するポータブル型オーディオ装置の外観を示す斜視図である。
【図８】（ａ）は第１実施形態の別の変形例の電気機器に該当するリモコン装置の概略図、（ｂ）はリモコン装置の内部構成を示すブロック図である。
【図９】本発明の第２実施形態の電気機器が有する操作パネルのインプットボタンであり、（ａ）は押し下げ前の状態を示す概略図、（ｂ）は第１操作長での押し下げ状態を示す概略図、（ｃ）は第２操作長での押し下げ状態を示す概略図である。
【図１０】第２実施形態に係る処理手順を示す第２フローチャートである。
【図１１】第２実施形態の変形例に係る処理手順を示す第２フローチャートである。
【符号の説明】
【００７４】
１  テレビジョン装置
８  ＯＳＤ制御部
１１  ディスプレイ部
１３、１３′  操作パネル
１３ｃ、１３ｃ′  インプットボタン
１３ｄ  メニューボタン
１６  外部接続端子部
１７  デバイス制御部
２０  リモコン装置
２１  閾時間
２２  メニューデータ
３０  メニュー
３８  カーソル
【図１】
0004738394.tif 000002
【図２】
0004738394.tif 000003
【図３】
0004738394.tif 000004
【図４】
0004738394.tif 000005
【図５】
0004738394.tif 000006
【図６】
0004738394.tif 000007
【図７】
0004738394.tif 000008
【図８】
0004738394.tif 000009
【図９】
0004738394.tif 000010
【図１０】
0004738394.tif 000011
【図１１】
0004738394.tif 000012